(57)【要約】【課題】高速応答の液晶を設けたり、光源を高速で切り替えることなく、平面画像を表示する場合に高視野角かつ高解像度で表示する画像表示装置を提供する。【解決手段】観察者に視差画像を投影する画像表示装置であって、観察者に向けて光を投影する光源と、画像を生成する画像生成部と、前記光源からの光を画像生成部に入射させる光学手段と、前記観察者に向かう光を透過する透明状態と、拡散する拡散状態とを有するスイッチング拡散板とを備える。【選択図】図１
2006284873.tif 000002
【特許請求の範囲】
【請求項１】
観察者に画像を投影する画像表示装置であって、
観察者に向けて光を投影する光源と、
画像を生成する画像生成部と、
前記光源からの光を前記画像生成部に入射させる光学手段と、
前記観察者に向かう光を直進透過する透明状態と、散乱透過する拡散状態とを有するスイッチング拡散板と
を備える画像表示装置。
【請求項２】
前記光源は、観察者の左目に向けて光を投影する左目用光源、及び、前記観察者の右目に向けて光を投影する右目用光源を有し、
前記画像生成部は、左目画像生成領域に左目用の視差画像を生成しかつ右目画像生成領域に右目用の視差画像を生成する視差画像生成状態と、前記左目画像生成領域及び前記右目画像生成領域に平面画像を生成する平面画像生成状態とを有し、
前記光学手段は、前記左目用光源からの光を前記画像生成部の前記左目画像生成領域に入射させ、かつ、前記右目用光源からの光を前記画像生成部の前記右目画像生成領域に入射させる請求項１に記載の画像表示装置。
【請求項３】
前記視差画像により立体画像を表示する場合に前記スイッチング拡散板を前記透明状態にし、前記平面画像を表示する場合に前記スイッチング拡散板を前記拡散状態にする拡散板制御部を更に備える請求項２に記載の画像表示装置。
【請求項４】
前記視差画像により前記立体画像を表示する場合よりも、前記平面画像を表示する場合において前記左目用光源及び前記右目用光源から高い輝度の光を投影させる光源制御部を更に備える請求項３に記載の画像表示装置。
【請求項５】
前記画像生成部から出射した光を鉛直方向に拡散する鉛直方向拡散板を更に備える請求項１から４のいずれかに記載の画像表示装置。
【請求項６】
前記スイッチング拡散板は、前記鉛直方向拡散板よりも前記観察者側に配される請求項５に記載の画像表示装置。
【請求項７】
前記スイッチング拡散板は、前記画像生成部と前記鉛直方向拡散板との間に配される請求項５に記載の画像表示装置。
【請求項８】
（特許案３）
前記光学手段は、
前記左目用光源からの光と前記右目用光源からの光とを互いに直交する方向に偏光させる光源偏光板と、
前記光源偏光板により偏光された前記左目用光源からの光を前記観察者の前記左目に集光し、かつ、前記光源偏光板により偏光された前記右目用光源からの光を前記観察者の前記右目に集光する集光レンズと、
集光レンズから出射した光を、前記画像生成部の前記左目画像生成領域に入射する光と前記右目画像生成領域に入射する光とで、互いに直交する方向に偏光する偏光軸制御板と
を有し、
前記スイッチング拡散板は、前記光源偏光板と前記集光レンズとの間に配される請求項１から５のいずれかに記載の画像表示装置。
【発明の詳細な説明】
【技術分野】
【０００１】
本発明は、画像表示装置に関する。特に、本発明は、観察者の左目及び右目に視差画像を投影することによって立体画像を表示する画像表示装置に関する。
【背景技術】
【０００２】
従来、観察者の左目及び右目に視差画像を投影することによって立体画像を表示する画像表示装置において、視差のない平面画像を表示することができるものが知られている（例えば特許文献１）。特許文献１に示す画像表示装置においては、平面画像をより広い視野角で表示すべく、立体画像を表示するのに用いる一対の主光源の背後に、平面画像を表示するのに用いる補助光源を設けている。
【特許文献１】特開２００４−２６４３３８号公報
【発明の開示】
【発明が解決しようとする課題】
【０００３】
しかしながら、上記特許文献１においては補助光源よりも観察者側に主光源が配されるので、補助光源を使用する場合に、主光源が陰になり、均一な明るさを持った平面画像を得ることが困難であるという問題がある。
【０００４】
また、上記特許文献１に示す形態に代えて、一対の主光源を交互に点灯し、これに同期して液晶パネル全体を一様に切り替えることにより、右目用の平面画像と左目用の平面画像を交互に高速に表示する形態がある。この形態において、右目用の平面画像と左目用の平面画像が交互に高速に表示されることにより、残像によってこれらの平面画像が一枚の画像として観察者に認識される。しかしながら、この場合には、一対の主光源及び一様にスイッチングする液晶パネルを、高速で切り替えるので高速応答が求められる。また、観察者に提供される平面画像が高速で切り替わるので、ちらつき（いわゆるフリッカー）が発生するという不具合がある。
【課題を解決するための手段】
【０００５】
上記課題を解決するために、本発明の第１の形態においては、観察者に画像を投影する画像表示装置であって、観察者に向けて光を投影する光源と、画像を生成する画像生成部と、光源からの光を画像生成部に入射させる光学手段と、観察者に向かう光を直進透過する透明状態と、散乱透過する拡散状態とを有するスイッチング拡散板とを備える。
【０００６】
上記画像表示装置において、光源は、観察者の左目に向けて光を投影する左目用光源、及び、観察者の右目に向けて光を投影する右目用光源を有し、画像生成部は、左目画像生成領域に左目用の視差画像を生成しかつ右目画像生成領域に右目用の視差画像を生成する視差画像生成状態と、左目画像生成領域及び右目画像生成領域に平面画像を生成する平面画像生成状態とを有し、光学手段は、左目用光源からの光を画像生成部の左目画像生成領域に入射させ、かつ、右目用光源からの光を画像生成部の右目用画像生成領域に入射させてもよい。
【０００７】
上記画像表示装置は、視差画像により立体画像を表示する場合にスイッチング拡散板を透明状態にし、平面画像を表示する場合にスイッチング拡散板を拡散状態にする拡散板制御部を更に備えてもよい。
【０００８】
上記画像表示装置は、視差画像により立体画像を表示する場合よりも、平面画像を表示する場合において左目用光源及び右目用光源から高い輝度の光を投影させる光源制御部を更に備えてもよい。
【０００９】
上記画像表示装置は、画像生成部の左目画像生成領域及び右目画像生成領域から出射した光を鉛直方向に拡散する鉛直方向拡散板を更に備えてもよい。
【００１０】
上記画像表示装置において、スイッチング拡散板は、鉛直方向拡散板よりも観察者側に配されてもよい。また、スイッチング拡散板は、画像生成部と鉛直方向拡散板との間に配されてもよい。
【００１１】
上記画像表示装置において、光学手段は、左目用光源からの光と右目用光源からの光とを互いに直交する方向に偏光させる光源偏光板と、光源偏光板により偏光された左目用光源からの光を観察者の左目に集光し、かつ、光源偏光板により偏光された右目用光源からの光を観察者の右目に集光する集光レンズと、集光レンズから出射した光を、画像生成部の左目画像生成領域に入射する光と右目画像生成領域に入射する光とで、互いに直交する方向に偏光する偏光軸制御板とを有し、スイッチング拡散板は、光源偏光板と集光レンズとの間に配されてもよい。
【００１２】
なお、上記の発明の概要は、本発明の必要な特徴の全てを列挙したものではなく、これらの特徴群のサブコンビネーションもまた、発明となりうる。
【発明の効果】
【００１３】
以上の説明から明らかなように、本発明の第１の形態によれば、高速応答の液晶を設けたり、光源を高速で切り替えることなく、立体画像を表示する場合にクロストークを少なくし、また、平面画像を表示する場合に高視野角かつ高解像度で表示することができる。
【発明を実施するための最良の形態】
【００１４】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１５】
図１は、本発明の実施形態に係る画像表示装置１００の分解斜視図である。図２は、画像表示装置１００の概略を示す概略平面図である。この画像表示装置１００は、観察者１０の左目１２及び右目１４に視差画像を投影することによって立体画像を表示し、また視差のない平面画像を表示する。
【００１６】
図１に示すように、画像表示装置１００は、光源１１０、光学手段１９０、画像生成部１６０、液晶偏光板１７０、鉛直方向拡散板１８０及びスイッチング拡散板２００を装置の奥から観察者１０の手前に向けてこの順で備える。さらに、画像表示装置１００は、光源１１０を制御する光源制御部２２０と、画像生成部１６０を制御する画像制御部２３０と、スイッチング拡散板２００を制御する拡散板制御部２１０とを有する。ここで、画像生成部１６０は、後述する左目画像生成領域１６２及び右目画像生成領域１６４を有する。
【００１７】
図１及び図２に示すように、光源１１０は、一対の左目用光源１１２及び右目用光源１１４を有する。左目用光源１１２は、観察者１０から向かって、画像表示装置１００の光学的な中心よりも右側に配され、観察者１０の左目１２に向けて光を投影する。また、右目用光源１１４は、観察者１０から向かって、画像表示装置１００の光学的な中心よりも左側に配され、観察者１０の右目１４に向けて光を投影する。ここで、左目用光源１１２及び右目用光源１１４は、無偏光を投影する。
【００１８】
光学手段１９０は、左目用光源１１２からの光を画像生成部１６０の左目画像生成領域１６２に入射させ、かつ、右目用光源１１４からの光を右目画像生成領域１６４に入射させる。図１に示す形態において、光学手段１９０は、光源偏光板１２０、集光レンズ１３０、偏光軸制御板１４０及び液晶偏光板１５０を、光源１１０から画像生成部１６０に向けてこの順で有する。
【００１９】
光源偏光板１２０は、左目用光源１１２からの光と右目用光源１１４からの光とを互いに直交する方向に偏光させる。図１に示す形態において、光源偏光板１２０は、左目用光源１１２からの光が入射する左目用偏光板１２２、及び、右目用光源１１４からの光が入射する右目用偏光板１２４を有する。これにより、左目用偏光板１２２は、左目用光源１１２から入射された無偏光のうち特定の方向、例えば、電界の振動方向が左上４５度の直線偏光を透過する。一方、右目用偏光板１２４は、右目用光源１１４から入射された無偏光のうち左目用偏光板１２２と直交する方向、上記例示の場合には電界の振動方向が右上４５度の直線偏光を透過する。
【００２０】
集光レンズ１３０は、光源１１０からの光を観察者１０の位置に集光する。図１に示す形態において、集光レンズ１３０はフレネルレンズである。図２に示すように、集光レンズ１３０は、左目用光源１１２から発せられて左目用偏光板１２２で偏光された光を観察者１０の左目１２の位置に集光し、かつ、右目用光源１１４から発せられて右目用偏光板１２４で偏光された光を観察者１０の右目１４の位置に集光する。
【００２１】
偏光軸制御板１４０は、光源１１０から発せられ集光レンズ１３０から出射した特定の偏光軸を持つ偏光を、互いに直交する方向に変換する。図１に示す形態において、偏光軸制御板１４０は、水平方向に区切られ、鉛直方向に互い違いに複数個並べた透過部１４２及び回転部１４４を有する。透過部１４２は、入射された光の偏光方向を保存して透過する。一方、回転部１４４は、入射された光の偏光方向を９０度回転して透過する。回転部１４４の一例は、半波長板である。なお半波長板に変えて液晶パネルを用いてもよい。
【００２２】
液晶偏光板１５０は、全体で一方向の偏光方向を有し、この偏光方向に平行な偏光を透過し、直交する偏光を遮断する。この液晶偏光板１５０は、画像生成部１６０における光源１１０側に配される。また、液晶偏光板１７０は、全体で一方向であって液晶偏光板１５０と直交する偏光方向を有し、この偏光方向に平行な偏光を透過し、直交する偏光を遮断する。この液晶偏光板１７０は、画像生成部１６０における観察者１０側に配される。図１に示す形態において、液晶偏光板１５０は右上４５度の偏光方向を有し、液晶偏光板１７０は左上４５度の偏光方向を有する。
【００２３】
画像生成部１６０は、左目用の視差画像を生成する左目画像生成領域１６２、及び、右目用の視差画像を生成する右目画像生成領域１６４を有する。画像生成部１６０は、水平方向及び鉛直方向に二次元的に複数配されたピクセルを有する。図１に示す形態において、画像生成部１６０は、水平方向に区切られ、鉛直方向に互い違いに複数個並べた左目画像生成領域１６２及び右目画像生成領域１６４を有する。これら左目画像生成領域１６２及び右目画像生成領域１６４の位置及び大きさは、偏光軸制御板１４０の回転部１４４及び透過部１４２の位置及び大きさに対応している。上記構成による画像生成部１６０を、画像制御部２３０が、画像生成部１６０に左目用及び左目用の視差画像を生成する視差画像生成状態と、画像生成部１６０に視差のない平面画像を生成する平面画像生成状態とに切り替える。
【００２４】
鉛直方向拡散板１８０は、画像生成部１６０から出射した光を鉛直方向に拡散する。鉛直方向拡散板１８０の一例は、水平方向に延伸するかまぼこ状の凸レンズを鉛直方向に複数配列したレンチキュラーシートである。
【００２５】
スイッチング拡散板２００は、入射された光を直進透過する透明状態と、散乱透過する拡散状態とを有する。スイッチング拡散板２００の一例は、図３及び図４で説明する高分子分散型液晶である。拡散板制御部２１０は、スイッチング拡散板２００を透明状態と拡散状態とに切り替える。
【００２６】
図３は、スイッチング拡散板２００の透明状態を説明する概略図であり、図４は、スイッチング拡散板２００の拡散状態を説明する概略図である。
【００２７】
図３に示すスイッチング拡散板２００は、高分子２０２内に液晶分子２０６を含んだ液晶領域２０４が分散しており、これらを透明電極２０８及び透明電極２０９で挟んで封止する。この場合に、液晶領域２０４と高分子２０２との屈折率がほぼ同一であることが好ましい。このスイッチング拡散板２００を制御する拡散板制御部２１０は、透明電極２０８と透明電極２０９との間に電圧を印加する電圧回路２１２、及び、この電圧回路２１２の電圧の印加をオンオフするスイッチ２１４を有する。
【００２８】
図３に示すように、スイッチ２１４がオン状態の場合に、複数の液晶領域２０４内の液晶分子２０６が透明電極２０９及び透明電極２０９に対して配向する。これにより、透明電極２０８から入射した光の進行方向は液晶分子２０６によりほとんど曲げられることなく、透明電極２０９から出射する。よって、スイッチング拡散板２００に対して電圧が印加された場合に、スイッチング拡散板２００は透明であるとみなすことができる。なお、この場合に、スイッチング拡散板２００は、入射された光の偏光方向を保って透過する。
【００２９】
一方、図４に示すように、スイッチ２１４がオフ状態の場合に、複数の液晶領域２０４内の液晶分子２０６は互いにランダムに配向する。これにより、透明電極２０８から入射した光の進行方向は液晶分子２０６の配向方向に基づいて曲げられる。よって、スイッチング拡散板２００に対して電圧が印加されない場合に、スイッチング拡散板２００は全方向に光を拡散する。
【００３０】
上記構成において、画像表示装置１００が観察者１０の位置で立体映像を表示する作用を、図１の形態を用いて説明する。まず、画像制御部２３０に対して立体画像を表示すべき旨の指示が入力されると、画像制御部２３０は、光源制御部２２０に対して、左目用光源１１２及び右目用光源１１４を点灯すべき旨を指示する。また、画像制御部２３０は、左目画像生成領域１６２に左目用の視差画像を生成し、右目画像生成領域１６４に右目用の視差画像を生成する。さらに、画像制御部２３０は、拡散板制御部２１０に対してスイッチング拡散板２００を透明状態にすべき旨を指示し、この指示に基づいて拡散板制御部２１０はスイッチング拡散板２００を透明状態にする。
【００３１】
画像制御部２３０からの指示に基づき、光源制御部２２０は、左目用光源１１２及び右目用光源１１４の両方を点灯する。  ここで左目用光源１１２から発した無偏光のうち、左目用偏光板１２２は、電界の振動方向が左上４５度の直線偏光を透過する。この直線偏光を、集光レンズ１３０が観察者１０の左目１２に集光すべく方向付ける。さらに、集光レンズ１３０から出射された左上４５度の直線偏光が、偏光軸制御板１４０に入射する。
【００３２】
ここで、偏光軸制御板１４０の透過部１４２は、入射した左上４５度の直線偏光の方向を保って、この光を透過する。透過部１４２を透過した左上４５度の直線偏光は、液晶偏光板１５０に入射する。ここで、液晶偏光板１５０の偏光方向は右上４５度であって、透過部１４２を透過した直線偏光の偏光方向と直交する。よって、液晶偏光板１５０は、左目用光源１１２から発して透過部１４２を透過した光を遮断する。これにより、透過部１４２に対応する位置に配されている右目画像生成領域１６４に、左目用光源１１２から発せられる光は到達しない。従って、右目画像生成領域１６４に生成されている右目の視差画像は、観察者１０の左目１２に投影されない。
【００３３】
一方、偏光軸制御板１４０の回転部１４４は、入射した左上４５度の直線偏光の偏光方向を９０度回転し、右上４５度の直線偏光にして出射する。これにより、左目用光源１１２から発して回転部１４４を通った直線偏光の偏光方向と、液晶偏光板１５０の偏光方向とが平行になる。よって、この直線偏光は液晶偏光板１５０を透過する。液晶偏光板１５０を透過した光は、回転部１４４に対応する位置に配されている左目画像生成領域１６２を透過し、このときに偏光方向が９０度回転して左上４５度の直線偏光になる。よって、左目画像生成領域１６２に生成された左目用の視差画像を投影する光を液晶偏光板１７０はそのまま通過し、鉛直方向拡散板１８０が鉛直方向に拡散する。さらに、画像制御部２３０の指示に基づいて拡散板制御部２１０がスイッチング拡散板２００を透明状態にしているので、鉛直方向拡散板１８０により鉛直方向に拡散された光を、スイッチング拡散板２００が透過する。以上により、左目用光源１１２から発した光は水平方向について観察者１０の左目１２の位置に集光し、左目画像生成領域１６２に生成されている左目用の視差画像が左目１２の位置に投影される。
【００３４】
同様に、右目用光源１１４から発した光は、右目用偏光板１２４により右上４５度に偏光される。右目用偏光板１２４を透過した光のうちで透過部１４２を透過した光は、右目画像生成領域１６４に生成された右目用の視差画像を観察者１０の右目１４に投影する。一方、右目用偏光板１２４を透過した光のうちで回転部１４４を透過した光は遮断され、左目画像生成領域１６２に生成された左目用の視差画像は観察者１０の左目１２に投影されない。
【００３５】
以上により、画像表示装置１００は、観察者１０に視差画像を投影して立体画像を表示することができる。この場合に、鉛直方向拡散板１８０を設けたので、鉛直方向について視野角の広い立体画像を表示することができる。
【００３６】
図５は、画像表示装置１００が平面画像を表示する状態を説明する概略平面図である。上記構成において、画像表示装置１００が平面画像を表示する作用を、図１及び図５を用いて説明する。
【００３７】
まず、画像制御部２３０に対して平面画像を表示すべき旨の指示が入力されると、立体画像を表示する場合と同様に、画像制御部２３０は、光源制御部２２０に対して、左目用光源１１２及び右目用光源１１４を点灯すべき旨を指示する。また、画像制御部２３０は、左目画像生成領域１６２及び右目画像生成領域１６４の両方を用いて平面画像を生成する。すなわち、左目画像生成領域１６２及び右目画像生成領域１６４の両方を含んだ一枚の液晶パネルとして画像を生成する。さらに、画像制御部２３０は、拡散板制御部２１０に対してスイッチング拡散板２００を拡散状態にすべき旨を指示し、この指示に基づいて拡散板制御部２１０はスイッチング拡散板２００を拡散状態にする。
【００３８】
画像制御部２３０からの指示に基づき、光源制御部２２０は、左目用光源１１２及び右目用光源１１４の両方を点灯する。この場合に、立体画像を表示する場合と同様に、左目用光源１１２からの光は左目画像生成領域１６２に到達するが、右目画像生成領域１６４には到達しない。また、右目用光源１１４からの光は右目画像生成領域１６４に到達するが、左目画像生成領域１６２には到達しない。
【００３９】
さらに、左目用光源１１２から発せられて左目画像生成領域１６２を通った光及び右目用光源１１４から発せられて右目画像生成領域１６４を通った光は、液晶偏光板１７０を通過して鉛直方向拡散板１８０により鉛直方向に拡散されて、スイッチング拡散板２００に入射する。ここで、スイッチング拡散板２００は、拡散板制御部２１０により拡散状態になっているので、左目用光源１１２から発せられて左目画像生成領域１６２を通った光及び右目用光源１１４から発せられて右目画像生成領域１６４を通った光の両方を、鉛直方向及び水平方向の両方に拡散する。
【００４０】
以上により、図５に示すように、観察者１０を含む水平方向の広い領域に、平面画像を表示することができる。この場合に、画像表示装置１００は、平面画像のうちの左目画像生成領域１６２により生成された部分及び右目画像生成領域１６４により生成された部分の両方を拡散するので、観察者１０を含む水平方向の広い領域（図５における矢印の領域）において、高解像度の水平画像を表示することができる。
【００４１】
上記実施形態によれば、高速応答の液晶を設けたり、光源を高速で切り替えることなく、立体画像を表示する場合にクロストークが少なく、また、平面画像を表示する場合に高視野角かつ高解像度で表示することができる。
【００４２】
また、立体画像を表示する場合であっても、平面画像を表示する場合であっても、左目用光源１１２及び右目用光源１１４の両方が点灯する。よって、上記いずれの場合も、左目用光源１１２と右目用光源１１４とが交互に点灯する場合に観察者１０に感じられるちらつき（いわゆるフリッカー）を防ぐことができる。
【００４３】
また、スイッチング拡散板２００は鉛直方向拡散板１８０よりも観察者１０側に配されるので、既存の画像表示装置に対する設計の変更が少ないままで、スイッチング拡散板２００を用いることができる。
【００４４】
図６は、画像表示装置１００におけるスイッチング拡散板２００の配置の他の例を示す概略平面図である。図６において、図１から図５までと同じ構成について同じ参照番号を付して説明を省略する。
【００４５】
図６は、スイッチング拡散板２００が液晶偏光板１７０と鉛直方向拡散板１８０との間に配される点が図１から図５に示す画像表示装置１００と異なる。スイッチング拡散板２００をこの位置に配したことにより、鉛直方向拡散板１８０へ入射した外光が拡散されるので、外光の映り込みが少なくなる。
【００４６】
図７は、画像表示装置１００におけるスイッチング拡散板２００の配置のさらに他の例を示す概略平面図である。図７において、図１から図５までと同じ構成について同じ参照番号を付して説明を省略する。
【００４７】
図７は、スイッチング拡散板２００が光源偏光板１２０と集光レンズ１３０との間に配される点が図１から図５に示す画像表示装置１００と異なる。スイッチング拡散板２００をこの位置に配した場合であっても、スイッチング拡散板２００は透明状態において光の偏光方向を保つので、観察者１０の左目１２及び右目１４にそれぞれ左目用の視差画像及び右目用の視差画像を投影することができる。スイッチング拡散板２００をこの位置に配したことにより、スイッチング拡散板２００が、拡散状態において集光レンズ１３０より光源１１０側で拡散をするので、平面画像をより広い角度に拡散して表示することができる。
【００４８】
上記実施形態において、左目用光源１１２及び右目用光源１１４は左右に一対設けられる。しかしながら、左目用光源１１２及び右目用光源１１４の数は一対に限られない。左目用光源１１２が画像表示装置１００の光学的中心よりも右側において複数個配されてもよいし、右目用光源１１４も上記中心よりも左側に左目用光源１１２と同数配されてもよい。これにより、平面画像を表示する領域をより広くすることができる。またこの場合に、立体画像を表示するときに一対の左目用光源１１２及び右目用光源１１４を点灯し、平面画像を表示するときに複数の左目用光源１１２及び右目用光源１１４を点灯させてもよい。これにより、平面画像を表示する場合において、スイッチング拡散板２００の拡散により観察者１０に感じる輝度の低下を補償して、立体画像を表示する場合と同程度の輝度を確保することができる。さらに、上記輝度を補償する方法として、複数の左目用光源１１２及び右目用光源１１４を設ける代わりに、スイッチング拡散板２００が、一対の左目用光源１１２及び右目用光源１１４において、立体画像を表示する場合よりも平面画像を表示する場合により高い輝度の光を投影させてもよい。
【００４９】
また、上記実施形態において、スイッチング拡散板２００は、スイッチ２１４がオン状態の場合に透明状態となり、オフ状態の場合に拡散状態となるが、これが逆であってもよい。また、スイッチング拡散板２００は高分子分散型液晶でなくて、液晶ディスプレイに用いられる液晶もよい。
【００５０】
また、上記実施形態において、画像表示装置１００は立体画像及び平面画像の両方を表示する。しかしながら、画像表示装置１００が平面画像を表示する平面画像表示装置であってもよい。この場合にスイッチング拡散板２００を設けることにより、平面画像を拡散させないで周囲に平面画像を見せない状態と、平面画像を拡散させて周囲に平面画像を見せる状態とを切り替えることができる。
【００５１】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００５２】
【図１】本発明の実施形態に係る画像表示装置１００の分解斜視図である。
【図２】画像表示装置１００の概略を示す概略平面図である。
【図３】スイッチング拡散板２００の透明状態を説明する概略図である。
【図４】スイッチング拡散板２００の拡散状態を説明する概略図である。
【図５】画像表示装置１００が平面画像を表示する状態を説明する概略平面図である。
【図６】画像表示装置１００におけるスイッチング拡散板２００の配置の他の例を示す概略平面図である。
【図７】画像表示装置１００におけるスイッチング拡散板２００の配置のさらに他の例を示す概略平面図である。
【符号の説明】
【００５３】
１０  観察者、１２  左目、１４  右目、１００  画像表示装置、１１０  光源、１１２  左目用光源、１１４  右目用光源、１２０  光源偏光板、１２２  左目用偏光板、１２４  右目用偏光板、１３０  集光レンズ、１４０  偏光軸制御板、１４２  透過部、１４４  回転部、１５０  液晶偏光板、１６０  画像生成部、１６２  左目画像生成領域、１６４  右目画像生成領域、１７０  液晶偏光板、１８０  鉛直方向拡散板、１９０  光学手段、２００  スイッチング拡散板、２０２  高分子、２０４  液晶領域、２０６  液晶分子、２０８  透明電極、２０９  透明電極、２１０  拡散板制御部、２１２  電圧回路、２１４  スイッチ、２２０  光源制御部、２３０  画像制御部
【図１】
2006284873.tif 000003
【図２】
2006284873.tif 000004
【図３】
2006284873.tif 000005
【図４】
2006284873.tif 000006
【図５】
2006284873.tif 000007
【図６】
2006284873.tif 000008
【図７】
2006284873.tif 000009
【手続補正書】
【提出日】平成18年4月18日(2006.4.18)
【手続補正１】
【補正対象書類名】特許請求の範囲
【補正対象項目名】請求項８
【補正方法】変更
【補正の内容】
【請求項８】
前記光学手段は、
前記左目用光源からの光と前記右目用光源からの光とを互いに直交する方向に偏光させる光源偏光板と、
前記光源偏光板により偏光された前記左目用光源からの光を前記観察者の前記左目に集光し、かつ、前記光源偏光板により偏光された前記右目用光源からの光を前記観察者の前記右目に集光する集光レンズと、
集光レンズから出射した光を、前記画像生成部の前記左目画像生成領域に入射する光と前記右目画像生成領域に入射する光とで、互いに直交する方向に偏光する偏光軸制御板と
を有し、
前記スイッチング拡散板は、前記光源偏光板と前記集光レンズとの間に配される請求項１から５のいずれかに記載の画像表示装置。